(57)【要約】【解決手段】オンラインページに掲示される複数のオンライン客体に対して互いに上下関係を構成するようにし、構成された上下関係によって認証マークを相続させてオンラインページに掲示する、オンライン認証マーク掲示システムに関するもので、認証マークを登録して保存する認証マーク登録部；前記掲示者端末から客体を登録し、登録された客体に付与された認証マークも一緒に登録し、登録された客体間の上下関係を設定する客体構成部；客体が掲示されたオンラインページに挿入されることができる認証マークモジュールを生成し、前記認証マークモジュールは掲示された客体に付与された認証マークを前記オンラインページ内に表示するモジュール生成部；及び前記オンラインページに挿入された認証マークモジュールから認証マークに対する要請を受ければ、前記掲示された客体の認証マーク及び相続される認証マークについての情報を返事して伝送し、客体間の上下関係によって認証マークが相続されるモジュール要請処理部を含む構成を提供する。前記のような認証マークを中心に認証ネットワークを構成することにより、第３者が直ぐ認証マークとその有効性を信頼できるように確認することができ、権限によって第３者がこれを共有して外部に再伝播して掲示することによって検証を受けることができる。【選択図】図６
2018538638.tif 000002
【特許請求の範囲】
【請求項１】
掲示者端末とネットワークを介して接続されるオンライン認証マーク掲示システムであって、
認証マークを登録して保存する認証マーク登録部；
前記掲示者端末から客体を登録し、登録された客体に付与された認証マークも一緒に登録し、登録された客体間の上下関係を設定する客体構成部；
客体が掲示されたオンラインページに挿入されることができる認証マークモジュールを生成し、前記認証マークモジュールは掲示された客体に付与された認証マークを前記オンラインページ内に表示するモジュール生成部；及び
前記オンラインページに挿入された認証マークモジュールから認証マークに対する要請を受ければ、前記掲示された客体の認証マーク及び相続される認証マークについての情報を返事して伝送し、客体間の上下関係によって認証マークが相続されるモジュール要請処理部を含むことを特徴とする、オンライン認証マーク掲示システム。
【請求項２】
上下関係が設定される全ての客体の構成は一方向に方向性を有するように関係が構成されることを特徴とする、請求項１に記載のオンライン認証マーク掲示システム。
【請求項３】
上下関係が設定される各客体は自らの上位客体の認証マークを相続し、自らの上位客体が相続する認証マークも相続することを特徴とする、請求項１に記載のオンライン認証マーク掲示システム。
【請求項４】
前記認証マークモジュールはオンラインページに挿入され、挿入されたオンラインページ上の一定大きさの表示空間を割り当てられ、該当表示空間に認証マークの内容を表示することを特徴とする、請求項１に記載のオンライン認証マーク掲示システム。
【請求項５】
前記認証マークモジュールは、要請して受信した認証マークが複数の場合、複数の認証マークの内容を順次オンラインページ上に表示することを特徴とする、請求項１に記載のオンライン認証マーク掲示システム。
【請求項６】
前記認証マークモジュールは、認証マークの内容と一緒に、挿入されたオンラインページに掲載された客体、及び前記掲載された客体の上位客体についての情報も表示することを特徴とする、請求項１に記載のオンライン認証マーク掲示システム。
【請求項７】
前記システムは、認証マークを説明するオンラインページを提供する認証マーク案内部をさらに含み、
前記認証マークモジュールは自分が掲載されたオンラインページで前記認証マーク案内部が提供するオンラインページにリンクさせることができることを特徴とする、請求項１に記載のオンライン認証マーク掲示システム。
【請求項８】
前記認証マーク案内部は、認証マーク及び該当認証マークを発給する発給機関についての説明を掲載し、前記発給機関に付与された認証マークに対して認証マークモジュールを挿入して掲載することを特徴とする、請求項７に記載のオンライン認証マーク掲示システム。
【請求項９】
前記客体は認証を受ける対象であって、製品又はサービス、個人、業者、団体、及びこれらのグループのうちいずれか一つ以上を含むことを特徴とする、請求項１〜８のいずれか一項に記載のオンライン認証マーク掲示システム。
【請求項１０】
前記オンラインページは、ウェブページ、ＳＮＳ、ブログ、メッセンジャー、メール、及びモバイルアプリ上のページのうちいずれか一つ以上であることを特徴とする、請求項１又は２に記載のオンライン認証マーク掲示システム。
【発明の詳細な説明】
【技術分野】
【０００１】
本発明は発給サーバーから発給された認証マークをオンライン上の客体が掲載されたウェブページなどのオンラインページに掲示し、掲示された認証マークがオンライン客体に発給された事実を検証してくれるオンライン認証マーク掲示システムに関するものである。
【０００２】
また、本発明はオンラインページに掲示される複数のオンライン客体に対して互いに上下関係を構成するようにし、構成された上下関係によって認証マークを相続させてオンラインページに掲示するオンライン認証マーク掲示システムに関するものである。
【背景技術】
【０００３】
一般に、使用者は対内外的な広報として使う目的あるいは法的な理由などで外部機関から認証を受ける。認証は、品質認証、資格認証、会員認証、加入認証などの多様な種類がある。その外にも、機関の試験をパスした認証、許可に対する認証はもちろんのこと、特定集団の所属会員、大会受賞、権威者からの推薦、調査結果、広告審議結果などの多様な形態として存在する。
【０００４】
また、認証対象は製品又はサービスに発給される、または、製品又はサービスを提供する業者又は個人に発給される。また、製品又はサービスが互いに違うが同種又は類似の種類であって一グループを成す場合には、該当グループ内の全ての製品又はサービスに対して同じ認証を付与することもある。同様に、業者又は個人がグループを成すとか、一業者内に詳細グループがある場合には、該当グループも一つの認証対象となることができる。
【０００５】
一方、認証機関は、認証対象に対して認証を行い、これを表示することができる認証書などを発給する。認証機関は、個人、企業、機関、政府、又はこれらのグループであり得る。
【０００６】
また、認証書などは認証書、証明書、資格証、会員証など、認証を受けたという証拠となる公式的な文書であって、紙文書、電子文書、認証マーク、テキストなどで表示することができる。
【０００７】
使用者は外部の認証を受けることによって自分又は自らの製品又はサービスの優秀性に対する検証を受けることができ、これを外部に広く知らせることができるから、公信力ある認証を受けようとする。認証機関から認証を受けることになれば、使用者は認証書などを事務室などに備えるとか、ホームページ、広告、製品説明などにテキスト形式、イメージファイル形式などとして掲示する。
【０００８】
特に、オフライン上では、製品や商品、又はサービス空間に認証マークを付着させて認証有無を表示する。しかし、認証の長所を広報する多くの努力にもかかわらず、多くの消費者があまりにも多様な認証制度の氾濫によってそれぞれの認証内容をまともに理解することができない問題点がある。このために、オフライン上では認証マークに電子タグを付着する電子認証マーク技術が提示されている［特許文献１］。また、認証マークが模造されることができるから、このために流通する認証マークを保護媒体として保護する技術も提示されている［特許文献２］。
【０００９】
また、オンラインオープンマーケットなどのインターネット上でも使用者の製品を販売する第３者は、使用者が認証書又は認証マークイメージを含めて作った広報物を使うとか認証書又は認証マークイメージを使って製品を広報する［特許文献３］。
【００１０】
しかし、オンライン上の認証マークも、オフラインの場合のように、認証マークの詳細な内容、有効性、模造有無などを確認する必要がある。一般に、このために、オンライン上に掲載された認証書などの有効性と認証関連の詳細な内容は掲載された認証書イメージ又は説明を参照し、認証書を発給した認証機関に問い合わせて確認することができる。
【００１１】
また、認証書の公信力を確認するためには、発給機関の公信力を確認しなければならない。発給機関の公信力を直接判断するとか上位認証機関（政府など）又は外部機関（言論社、国際機関、名士など）の認証による公信力によって判断することができる。
【００１２】
これらの発給機関は一つ又は複数の上位、関連機関のロゴとリンクをウェブサイトに掲示する場合がある。しかし、これを検証するためにはさらにそれぞれ上位機関又は関連機関をそれぞれ訪問して検索などによって確認しなければならない問題が発生する。また、結果が正確に分からないときには、発給機関が公信力があるかどうかを判断しにくいし、またそれぞれ関連機関に電話するとか実際に訪問するなどの時間及び費用がかかる。
【００１３】
例えば、販売者が公信力がない認証機関から発給された健康機能性認証マークを製品販売ページに掲載することができる。すなわち、該当製品の健康機能性認証マークを発給した発給機関は政府などの上位機関、関連機関から認められた機関ではないことがあり得るが、消費者は認証マークに迷って健康機能性を高い公信力で認証を受けた製品と間違えて購買することもある。公信力ある機関から認められた発給機関ではないにもかかわらず公信力を備えたもののように見えて被害が発生することになる。
【００１４】
また、製品を販売する第３者がショッピングモール、他のウェブサイトで認証書を活用して広報する場合、公式的な販売資格有無、該当製品に対する認証有無、該当業者の認証有無を確認することができなくて被害が発生し得る。
【００１５】
そして、発給機関ウェブサイトの管理不実、不在又は閉鎖のため認証有無が分からない場合が発生する問題もある。また、認証書の変更事項（有効性、認証マーク、機関名変更など）も直ぐ伝達又は適用されなくて混乱を与えることもある。
【先行技術文献】
【特許文献】
【００１６】
【特許文献１】韓国公開特許第１０−２００９−０１２２８５２号公報
【特許文献２】韓国公開特許第１０−２００９−００５８４７３号公報
【特許文献３】韓国公開特許第１０−２０１１−００１２６８７号公報
【発明の概要】
【発明が解決しようとする課題】
【００１７】
本発明の目的は上述したような問題点を解決するためのもので、発給サーバーから発給された認証マークをオンライン上の客体が掲載されたウェブページなどのオンラインページに掲示し、掲示された認証マークがオンライン客体に発給された事実を検証してくれるオンライン認証マーク掲示システムを提供することである。
【００１８】
また、本発明の目的はオンラインページに掲示される複数のオンライン客体に対して互いに上下関係を構成するようにして、構成された上下関係によって認証マークを相続させてオンラインページに掲示するオンライン認証マーク掲示システムを提供することである。
【課題を解決するための手段】
【００１９】
前記目的を達成するために、本発明は掲示者端末とネットワークを介して接続されるオンライン認証マーク掲示システムであって、認証マークを登録して保存する認証マーク登録部；前記掲示者端末から客体を登録し、登録された客体に付与された認証マークも一緒に登録し、登録された客体間の上下関係を設定する客体構成部；客体が掲示されたオンラインページに挿入されることができる認証マークモジュールを生成し、前記認証マークモジュールは掲示された客体に付与された認証マークを前記オンラインページ内に表示するモジュール生成部；及び前記オンラインページに挿入された認証マークモジュールから認証マークに対する要請を受ければ、前記掲示された客体の認証マーク及び相続される認証マークについての情報を返事して伝送し、客体間の上下関係によって認証マークが相続されるモジュール要請処理部を含むことを特徴とする。
【００２０】
また、本発明は、オンライン認証マーク掲示システムにおいて、上下関係が設定される全ての客体の構成は一方向に方向性を有するように関係が構成されることを特徴とする。
【００２１】
また、本発明は、オンライン認証マーク掲示システムにおいて、上下関係が設定される各客体は自らの上位客体の認証マークを相続し、自らの上位客体が相続する認証マークも相続することを特徴とする。
【００２２】
また、本発明は、オンライン認証マーク掲示システムにおいて、前記認証マークモジュールはオンラインページに挿入され、挿入されたオンラインページ上の一定大きさの表示空間を割り当てられ、該当表示空間に認証マークの内容を表示することを特徴とする。
【００２３】
また、本発明は、オンライン認証マーク掲示システムにおいて、前記認証マークモジュールは、要請して受信した認証マークが複数の場合、複数の認証マークの内容を順次オンラインページ上に表示することを特徴とする。
【００２４】
また、本発明は、オンライン認証マーク掲示システムにおいて、前記認証マークモジュールは、認証マークの内容と一緒に、挿入されたオンラインページに掲載された客体、及び前記掲載された客体の上位客体についての情報も表示することを特徴とする。
【００２５】
また、本発明は、オンライン認証マーク掲示システムにおいて、前記システムは、認証マークを説明するオンラインページを提供する認証マーク案内部をさらに含み、前記認証マークモジュールは自分が掲載されたオンラインページで前記認証マーク案内部が提供するオンラインページにリンクさせることができることを特徴とする。
【００２６】
また、本発明は、オンライン認証マーク掲示システムにおいて、前記認証マーク案内部は、認証マーク及び該当認証マークを発給する発給機関についての説明を掲載し、前記発給機関に付与された認証マークに対して認証マークモジュールを挿入して掲載することを特徴とする。
【００２７】
また、本発明は、オンライン認証マーク掲示システムにおいて、前記客体は認証を受ける対象であって、製品又はサービス、個人、業者、団体、及びこれらのグループのうちいずれか一つ以上を含むことを特徴とする。
【００２８】
また、本発明は、オンライン認証マーク掲示システムにおいて、前記オンラインページは、ウェブページ、ＳＮＳ、ブログ、メッセンジャー、メール、及びモバイルアプリ上のページのうちいずれか一つ以上であることを特徴とする。
【発明の効果】
【００２９】
上述したように、本発明によるオンライン認証マーク掲示システムによると、認証マークを中心に認証ネットワークを構成することにより、第３者が直ちに認証マークとその有効性を信頼できるように確認することができ、権限によって第３者がこれを共有して外部に再伝播及び掲示して検証を受けることができる効果が得られる。
【図面の簡単な説明】
【００３０】
【図１】本発明を実施するための全体システムの構成のブロック図である。
【図２】本発明の一実施例による客体構成の例示図である。
【図３】本発明の一実施例による客体構成の例示図である。
【図４】本発明の一実施例による認証マークモジュールを掲示したオンラインページの例示図である。
【図５】本発明の一実施例による認証マークモジュールの構成のブロック図である。
【図６】本発明の一実施例によるオンライン認証マーク掲示システムの構成のブロック図である。
【図７】認証マークの案内ページを例示した図である。
【図８】認証マークの案内ページを例示した図である。
【発明を実施するための形態】
【００３１】
以下、本発明の実施のための具体的な内容を図面に基づいて説明する。
【００３２】
また、本発明の説明において、同一部分は同一符号を付け、その繰り返し説明は省略する。
【００３３】
まず、本発明を実施するための全体システム構成の一例を図１に基づいて説明する。
【００３４】
図１に示すように、本発明を実施するための全体システムは、オンラインページにオンライン客体と一緒に認証マークを掲示する掲示者端末１１、認証マークを発給する発給サーバー１２、ウェブページなどのオンラインページ６０をオンライン上に提供する掲示サーバー５０、及び認証マークを管理する管理サーバー３０からなる。また、オンラインページ６０には客体のコンテンツ６１と一緒に認証マークモジュール７０が掲示される。各端末１１及びサーバー１２、３０、５０は互いにネットワーク２０を介して接続される。また、必要なデータを保存するためのデータベース４０をさらに備えることができる。
【００３５】
掲示者端末１１は掲示者が用いるＰＣ、ノートブック型ＰＣ、ネットブック、スマートフォン、タブレットＰＣ、モバイルなどの通常のコンピュータ端末機である。掲示者端末１１は管理サーバー３０に会員として加入し、客体と、該当客体に対する認証マークを登録して管理する。
【００３６】
また、掲示者端末１１は掲示サーバー５０に接続し、オンラインページ６０に客体のコンテンツ６１を掲示し、該当客体の認証マークモジュール７０を該当オンラインページ６０に挿入して認証マークを掲示する。
【００３７】
若しくは、掲示者端末１１は自らの認証マークを登録するとか管理することなしに、掲示サーバー５０に客体のコンテンツ６１及び認証マークモジュール７０を掲示するとか挿入することができる。この場合、掲示者は認証マークの発給者又は認証マークを受ける対象ではない第３者である。すなわち、掲示者端末１１は認証マークを発給受信者の端末又は第３者の端末である。
【００３８】
以下で、掲示者がある作業を行う説明は掲示者端末１１を介して行う作業であることを意味する。また、図面符号１１を掲示者端末以外に掲示者にも付けることにする。
【００３９】
一方、ここで、客体は掲示者そのもの又は自らの業者、製品、サービスなどの認証マークを発給することができる対象を言う。
【００４０】
また、オンラインページ６０はオンライン上にコンテンツを掲載することができるページであって、ウェブページ、ＳＮＳ（ソーシャルネットワークシステム）、ブログ、メッセンジャー、メールなど、オンライン上にコンテンツを掲載することができるものを言う。
【００４１】
次に、発給サーバー１２は客体を対象として認証マークを発給するサーバー又は端末を言う。発給サーバー１２は管理サーバー３０に会員として登録し、自分が発給する認証マークについての詳細な情報を管理サーバー３０に伝送する。特に、発給サーバー１２は認証マークのイメージが変わるとか有効期間が満了するなど、認証マークの内容が変更されれば、これを管理サーバー３０に伝送して該当データをアップデートする。
【００４２】
また、反対に、管理サーバー３０が能動的に認証マークについての情報を要請すれば、発給サーバー１２は該当認証マークの情報を伝送する。若しくは、発給サーバー１２は認証マークについての内容を公開し、管理サーバー３０が発給サーバー１２に接続して該当認証マーク及びその内容を持って行くことができる。管理サーバー３０は一定時間の間隔で発給サーバー１２に接続して更新情報を持って来る。この場合、発給サーバー１２は管理サーバー３０に接続するとか、別に登録しないこともある。
【００４３】
また、掲示サーバー５０はオンラインページを掲示するサーバーであって、ウェブサーバー、ＳＮＳサーバー、ブログサーバー、メールサーバーなど、オンライン上にコンテンツを掲載することができるサービスを提供するサーバーを言う。また、掲示サーバー５０はモバイルのアプリと連動して、モバイルアプリに掲示されるオンラインページを提供するサーバーであり得る。
【００４４】
したがって、オンラインページ６０は掲示サーバー５０によって表示されるオンライン上のページであって、インターネット又はモバイル上に掲載されて表示されることができるものを言う。
【００４５】
また、管理サーバー３０は掲示者から会員登録を受け、掲示者から認証対象である客体と、該当客体に発給された認証マークの登録を受ける。また、管理サーバー３０は認証マークについての詳細な情報を直接掲示者から受信するとか、あるいは認証マークを発給する発給サーバー１２から該当情報を収集するとか受信する。
【００４６】
また、管理サーバー３０はオンラインページ６０に挿入されて掲示する認証マークモジュール７０を生成して提供する。
【００４７】
認証マークモジュール７０はオンラインページ６０に挿入されるイメージ、リンク、スクリプトなどを含むモジュールであって、認証マークを表示するとか認証マークの詳細情報などを提供するモジュールである。また、認証マークモジュール７０は使用者のタッチやクリックなどに反応して必要な情報を表示するとか提供し、また管理サーバー３０から必要なデータを要請して受信する。
【００４８】
認証マークモジュール７０はオンラインページ６０に易しく挿入されるように、リンク、スクリプトなどから構成されたページ形式のモジュールである。したがって、掲示者端末１１が認証マークモジュール７０をダウンロードし、ダウンロードした認証マークモジュール７０をオンラインページ６０に挿入することによってオンラインページ６０に掲載させることができる。
【００４９】
データベース４０は管理サーバー３０で必要なデータを保存する通常の保存媒体であって、会員情報、認証マーク及びそれについての詳細データ、客体などを保存する。
【００５０】
具体的に、データベース４０は会員についてのデータを保存する会員ＤＢ４１、認証マーク及び認証マーク相互間の構造、認証マークの詳細内容などを保存する認証マークＤＢ４２、及び認証対象である客体についてのデータを保存する客体ＤＢ４３からなる。しかし、このようなデータベース４０の構成は好適な一実施例であるだけ、具体的な装置を開発するに当たり、接近及び検索の容易性及び効率性などに鑑み、データベース構築理論によって他の構造に構成されることができる。
【００５１】
次に、本発明の一実施例による認証対象である客体の構造と、認証マークの相続について図２を参照して説明する。
【００５２】
図２に示すように、認証対象である客体は相互間に上下関係を有することができる。図２で、矢印が上下関係を示す。ここで、上下関係によって表示された客体のグラフは方向性グラフの条件を満たさなければならない。すなわち、客体間に上下関係を構成するとともに一方向に方向性を有しなければならない。
【００５３】
例えば、図２で、客体Ａ２２から客体Ｃへの点線矢印方向に上下関係を構成すれば、Ｃ→Ａ２→Ａ２２→Ｃの形態に循環関係を形成する。この循環関係を形成するグラフは方向性グラフではない。すなわち、客体間の上下関係によるグラフは循環関係を有しなくて一方向性を有する方向性グラフである。
【００５４】
客体が上下関係を有すれば、下位客体（又は子客体）は上位客体（又は親客体）の認証マークを相続する。すなわち、上下関係が設定される各客体は自らの上位客体の認証マークを相続し、自らの上位に位置する客体が相続される認証マークも相続する。
【００５５】
例えば、客体Ａ１１は客体Ａ１、Ａ、Ｂ１、Ｂを上位客体として有する。したがって、客体Ａ１１はこれらの上位客体の認証マークを相続することができる。また、客体Ａ２２は客体Ａ２、Ｂ２、Ｂ、Ｃの全てから認証マークを相続する。
【００５６】  図３の例を見ると、（公序良俗違反につき、不掲載）は冷蔵庫と携帯電話を生産し、ヨンサン商店街の甲電子と乙電子がこれらの製品をオークションオンラインマーケットで流通する。仮に、（公序良俗違反につき、不掲載）の携帯電話事業部で品質管理の認証を受け、乙電子が顧客満足度１位の認証を受け、オークションからサービス大賞を受けたと仮定する。この場合、ギャラクシーノートは（公序良俗違反につき、不掲載）携帯電話の品質管理の認証マークと、乙電子のサービス満足度１位の認証マークと、オークションのサービス対象の認証マークとの全部で３個の認証マークを相続する。
【００５７】
次に、本発明の一実施例による認証マークモジュール７０の構成について図４及び図５を参照してより具体的に説明する。
【００５８】
認証マークモジュール７０はオンラインページ６０に表示されるための言語で作成されたモジュールである。すなわち、ウェブページ、ＳＮＳ（ソーシャルネットワークシステム）、ブログ、メッセンジャー、メールなど、オンライン上のページを構成する言語で作成されたモジュールである。好ましくは、ウェブ形式のモジュール又はモバイルアプリモジュールである。
【００５９】
より好ましくは、認証マークモジュール７０はＨＴＭＬ形式又はＨＴＭＬ５．０などによって構成されるページ形式のモジュールであって、テキスト、リンク、スクリプトなどで構成されたページ形式のモジュールである。若しくは、認証マークモジュール７０はモバイルアプリなどで駆動されるプログラムモジュールに具現されることもできる。
【００６０】
特に、認証マークモジュール７０はスクリプトなどのプログラミング言語で特定の機能をするように作成される。以下で説明する機能はスクリプトなど、ページ作成言語で構成されて動作する機能である。
【００６１】
また、図４に示すように、認証マークモジュール７０はオンラインページ６０に挿入され、オンラインページ６０上の一定大きさの表示空間を割り当てられ、該当表示空間に認証マークイメージ又はテキストなどの認証マークの内容、又は認証マークの情報、又は客体情報などを表示する。すなわち、認証マークはその内容をイメージ、テキストなどで表示することができる。
【００６２】
基本的に、広告又はブログプラグインのような方式を用いる。すなわち、ウェブページの場合、ジャバスクリプト、ｊＱｕｅｒｙ、ａｊａｘなどのスクリプト言語を用いてモジュールを挿入し、ＲＥＳＴ（Ｒｅｐｒｅｓｅｎｔａｔｉｏｎａｌ  Ｓｔａｔｅ  Ｔｒａｎｓｆｅｒ）のような公開（Ｏｐｅｎ）ＡＰＩ技術を用いてサーバーと通信及びｈｔｍｌ、ＸＭＬ、ｊｓｏｎなどの形式でデータを送受信する。前もって発給されたＡＰＩキー（Ｋｅｙ）を介して接続される、または統制されることができる。
【００６３】
また、図５に示すように、本発明による認証マークモジュール７０は、管理サーバー３０の住所及び客体識別子を記録する保存部７１、管理サーバー３０から客体の認証マークについての情報を要請して受信する要請部７２、客体又は認証マーク情報を表示する表示部７３、及び入力命令に従って表示又はリンクなどの決まった機能を行う制御部７４からなる。
【００６４】
保存部７１は認証マークモジュール７０をテキスト形態で保存し、保存空間などに、管理サーバーの住所、客体識別子、名称などを記録する。
【００６５】
また、要請部７２は記録された管理サーバー３０の住所を参照して管理サーバー３０に接続する。そして、管理サーバー３０に該当客体の識別子又は保存部７１に記録された客体識別子を伝送する。そして、管理サーバー３０から認証マークについての情報を受信する。
【００６６】
表示部７３は受信した認証マークの情報をオンラインページ６０の表示空間の画面上に表示する。ここで、複数の認証マークを受信する場合、認証マークの内容又は認証マークのイメージを順次表示する、または画面ああを分割して表示する。動的なイメージの場合、表示部７３が動的イメージを構成する、または、該当動的イメージを直接管理サーバー３０から伝送されることができる。若しくは表示部７３は複数の認証マークイメージを管理サーバー３０から受信し、受信した複数の内容などのイメージを動的に順次表示することができる。
【００６７】
また、表示部７３は客体に対する名称などの情報を割り当てられた表示空間の一部に持続的に表示する、または、認証マークイメージと交差して順次表示することができる。この時に表示される情報は認証マークモジュールのバージョン、有効性、ネットワーク接続状態、最終アップデート日時、元の掲示位置などの情報も一緒に表示されることができる。
【００６８】
制御部７４は、オンラインページ６０上で使用者がタッチ又はクリックなどで一定のイベントを発生させれば、該当イベントに対して前もって決まった機能を実行させる。例えば、表示空間上でクリックすれば、管理サーバー４０から提供するウェブページに移動し、該当客体の認証マークについての詳細説明ページにリンクさせることができる。若しくは、マウスのカーソルはクリックしないが、該当表示空間内に入れば、認証マークイメージが順次次のイメージに取り替えられる、または拡大されるなどの動作を行う。
【００６９】
また、制御部７４は認証マークモジュールが実行された後、一定時間後に自ら情報を更新する、または、使用者によって受動的に情報を更新することができる。
【００７０】
次に、本発明の一実施例によるオンライン認証マーク掲示システムを図６に基づいて説明する。
【００７１】
図６に示すように、本発明によるオンライン認証マーク掲示システムは、会員を登録して管理する会員管理部３１、認証マークを登録する認証マーク登録部３２、認証対象である客体を登録して構成する客体構成部３３、認証マークモジュール７０を生成してダウンロードさせるモジュール生成部３４、及びオンラインページに挿入された認証マークモジュール７０から要請を受信して応答するモジュール要請処理部３５からなる。また、追加的に認証マーク及びその発給機関などに対して案内するオンラインページを提供する認証マーク案内部３６をさらに含むことができる。
【００７２】
まず、会員管理部３１は掲示者などの使用者を会員として登録し、会員情報を入力される、または、ログインのための使用者認証を行う。
【００７３】
ついで、認証マーク登録部３２は認証マークを登録して保存する。
【００７４】
認証マークは認証書、証明書、資格証、会員証など、認証を受けたという証拠となる公式的な文書又は標識であって、紙文書、電子文書、マーク形態、テキストなどの多様な形態で表示されることができる。本発明の認証マークはオンライン上に表示可能な全ての形態の標識を含むが、説明の便宜のために認証マークと呼ぶことにする。
【００７５】
認証マーク登録部３２は掲示者端末１１を介して認証マークについての詳細情報を入力（伝送）されることができる。認証マークは掲示者によって登録されることもあるが、管理者によって登録されることもできる。すなわち、管理者が認証マークの内容を検索するとか該当発給機関から関連詳細情報を持って来てデータベースに保存することができる。
【００７６】
認証マークの詳細情報は認証マークのイメージ、名称、発給機関（認証機関）、有効期間、認証内容、認証番号などを含む。また、認証マークの発給機関についての詳細情報をさらに含むことができる。例えば、該当発給機関の信頼性程度又は他の機関から受けた認証などの内容も含まれることができる。例えば、治療師協会で製品の品質に対する認証マークを発給する。ここで、該当治療師協会が保健福祉部から公認された協会であれば該当事項も詳細情報として登録される。
【００７７】
また、認証マーク登録部３２は管理者によって該当認証マークの発給機関に対する信頼性評価値などを入力されて詳細情報として保存することができる。
【００７８】
ついで、客体構成部３３は掲示者端末１１から認証対象である客体の登録を受け、登録された客体との関係を設定する。
【００７９】
客体は認証対象であって、製品又はサービス、個人、業者（団体）、又はこれらのグループなどとして登録されることができる。ここで、各客体はＩＤ又はコードなどの識別子を付与する。
【００８０】
製品の識別は製品のモデル番号（又は製品モデル）によって識別されることが好ましい。類似した製品又は関連製品などの複数の製品モデルが同じ認証マークを受ける場合、該当製品モデルをグループに構成する。グループも一つの客体として生成されて登録される。
【００８１】
サービスの識別はサービスモデル又は固有コード、名称などによって識別される。製品と同様に、複数のサービスが認証マークを受ける場合、該当サービスをグループに構成することができる。ウェブカートゥーン、マガジン、新聞、ドラマ、映画などのオンライン上のコンテンツもそれぞれ一つのサービスとなることができる。
【００８２】
個人は名前、住民番号、固有ＩＤなどによって識別される。個人はグループに束ねられない。その代わりに、個人は所属団体、業者、部署などに束ねられ、別に所属団体などの客体を生成し、生成された所属団体などの客体に所属関係（又は上下関係）で設定される。複数の治療師である個人は治療師協会の団体客体に所属させる。
【００８３】
業者又は団体は名前や固有ＩＤなどで識別する。業者又は団体もグループに束ねられず、複数の業者又は団体は上位業者又は団体の所属に設定される。例えば、複数の業者がヨンサン商店街による共同目的でグループ化する場合には、ヨンサン商店街内の業者の客体はヨンサン商店街協会の団体客体に所属させる。
【００８４】
図２又は図３のように、客体の関係は上下関係又は相続関係で設定されて構成される。すなわち、少なくとも２個の客体が互いに関係を有すれば、一客体は上位客体、他の一客体は下位客体で構成される。また、Ａ−Ｂ−Ｃの客体がそれぞれ連続的な上下関係を有すれば、客体Ｃと客体Ａも上下関係を有し、客体Ａは客体Ｃの上位客体である。
前述したように、客体の関係による構成は方向性グラフ方式で構成され、各客体の関係は一方向性を有し、方向が循環しない。
【００８５】
例えば、製品と生産者、製品と販売業者、サービスとサービス業者、個人と所属団体、サービスと個人、製品とオンラインマーケット、販売業者とオンラインマーケットなどの関係がそれぞれ下位客体と上位客体間の関係に設定されることができる。
【００８６】
また、前もって製品又はサービスなどがグループに設定される場合、グループも一客体として生成され、グループと、前記グループに属する製品又はサービスは互いに所属関係によって上下関係が決まる。すなわち、グループが上位客体であり、グループに属する製品又はサービスが下位客体である。
【００８７】
また、客体構成部３３は、掲示者端末１１から客体と、客体間の関係を入力され（伝送され）、各客体の詳細情報と、各関係を設定し、これらをデータベース４０に保存する。
【００８８】
客体と、前記客体間の関係をグラフで表示すれば、方向性グラフのような構造を有する。このように、複数の客体とこれら間の関係で構成された全てを客体構成又は客体構成体と呼ぶことにする。
【００８９】
全体客体の構成又は構成体は各会員別に構成されることができ、全ての会員又は一部の会員の間に共通して使われるように構成されることができる。例えば、携帯電話などの電子製品の生産者に関連した客体の構成が備えられれば、携帯電話企業は既に備えられた携帯電話などの全体構成（構成体）をそのまま用いることができる。
【００９０】
また、客体構成部３３は客体を検索する機能を提供する。既に作られた客体の構成を用いる場合、構成された客体を識別して捜すために客体の検索機能を用いる。
【００９１】
また、客体構成部３３は客体に対する名称、機能、分野などの詳細情報を入力されて保存し、保存された詳細情報は検索にも用いられることができる。
【００９２】
また、客体構成部３３は該当客体に付与された認証マークを設定する。設定される認証マークは前もって認証マーク登録部３２に登録された認証マークである。具体的に、客体構成部３３は客体構成の一つの客体を認証マークに連結する。
【００９３】
例えば、グリーン（Ｇｒｅｅｎ）マークの認証マークは複数の親環境製品客体に付与されることができる。したがって、複数の親環境製品である客体は一つの認証マーク“グリーンマーク”に連結（参照）させるとか、グリーンマークで認証マークを設定する。すなわち、特定モデルの加湿器にグリーンマークが付与される場合、該当モデルの加湿器に対する認証マークとしてグリーン（Ｇｒｅｅｎ）マークを設定するとか、グリーンマークに連結する。
【００９４】
ここで、認証マークは該当客体に直接付与されたものである場合にのみ連結（設定）する。例えば、甲電子が品質管理ＩＳＯ２０００の認証を受ける場合、この認証マークは甲電子の業者に直接付与されたものである。しかし、前記品質管理の認証マークは甲電子が生産する携帯電話に直接付与されたものではない。したがって、品質管理の認証マークは甲電子客体のみに付与（設定）され、甲電子が生産する携帯電話には付与（設定）されない。
【００９５】
ついで、モジュール生成部３４は特定客体に付与された認証マークをオンラインページに挿入して表示することができるモジュールを生成する。
【００９６】
前述したように、認証マークモジュール７０はオンラインページ６０に表示されるための言語で作成されたモジュールである。すなわち、ウェブページ、ＳＮＳ（ソーシャルネットワークシステム）、ブログ、メッセンジャー、メールなどのオンライン上のページを構成する言語で作成されたモジュールである。
【００９７】
したがって、掲示者端末１１が認証マークモジュール７０をモジュール生成部３４からダウンロードし、ダウンロードした認証マークモジュール７０をオンラインページ６０に挿入することによってオンラインページ６０に掲載させることができる。
【００９８】
認証マークモジュール７０はそれぞれ客体に対して個別的に生成する。すなわち、一客体に一つの認証マークモジュール７０を生成する。例えば、グリーン（Ｇｒｅｅｎ）マークの認証マークは全ての親環境製品客体に付与されることができる。特定モデルの加湿器にグリーンマークが付与される場合、該当モデルの加湿器に対する認証マークとして固有の認証マークモジュール７０が個別的に生成される。
【００９９】
認証マークモジュール７０は、認証対象である客体又は客体識別子と、客体の詳細事項（名称、モデルなど）に対する客体情報と、管理サーバー３０又は客体構成体の住所又はリンク情報などの認証マークの参照情報を含む。
【０１００】
認証マークモジュール７０は認証マークの参照情報を用いて、該当客体に関連した認証マークを持って来る。すなわち、認証マークモジュール７０は管理サーバー３０に接続して客体識別子を伝送し、該当客体の認証マーク情報を管理サーバー３０に要請して持って来る。ここで、管理サーバー３０は該当客体に直接付与された認証マークの外にも上位客体から相続された認証マークを全て持って来る。
【０１０１】
管理サーバー３０から受けて来る認証マーク情報は、認証マークのイメージ、認証内容、認証マークについての説明などである。認証マークのイメージはオンラインページ６０に表示することができるイメージであって、静的なイメージ又は動的なイメージのいずれにも相当し得る。また、認証内容は認証マークの名称又は認証しようとする内容、有効期間などである。また、認証マークについての説明もさらに含まれることができる。
【０１０２】
また、認証マークモジュール７０は、持って来た認証マーク情報及び該当客体の情報をオンラインページ６０上に表示する。ここで、認証マークモジュール７０は、認証マークが複数の場合には、動的な画面によって複数の認証マークを順次見せる、または、画面を分けて認証マークを表示することができる。
【０１０３】
また、認証マークモジュール７０は画面上に客体の名称などの客体識別情報も一緒に表示する。これは該当客体に対する認証マークであることを使用者に直接確認させようとする目的である。例えば、オンラインページ６０に製品Ａを掲載し、製品Ｂの認証マークモジュール７０を挿入することができる。ここで、使用者はオンラインページ６０上の認証マークモジュール７０によって表示される製品名称又はモデルなどを目で直接確認し、オンラインページに掲載された客体の認証マークであることを検証することができる。
【０１０４】
ついで、モジュール要請処理部３５はオンラインページ６０に挿入された認証マークモジュール７０から要請を受信し、該当要請に対するデータを伝送する。この時、客体の識別子を受信し、どの客体に対する要請であるかを確認する。
【０１０５】
特に、モジュール要請処理部３５は、認証マーク要請に対し、該当客体に付与された認証マークと、前記客体が相続することができる認証マークの情報を認証マークモジュール７０に全て伝送する。好ましくは、モジュール要請処理部３５は、認証マークのイメージ、認証内容、認証マークについての説明などの認証マーク情報を認証マークモジュール７０に伝送する。
【０１０６】
この時、前記客体に相当する認証マークが複数の場合には、認証マークのイメージを複数のイメージが順次現れる動的なイメージを生成して伝送することができる。
【０１０７】
ついで、認証マーク案内部３６は認証マークを詳細に説明するオンラインページ６０を提供する。好ましくは、オンラインページ６０は管理サーバー３０内に構成するとか、管理サーバー３０と連動するウェブサーバーなどのコンテンツサーバーで構成される。
【０１０８】
認証マークの詳細内容を案内するオンラインページ６０はウェブページ、ＳＮＳ（ソーシャルネットワークシステム）、ブログ、モバイルアプリなどで主にテキストのコンテンツを提供するページを言う。認証マークの案内に対するオンラインページ６０は管理サーバー３０の管理者によって掲載される。
【０１０９】
図７及び図８は認証マークの案内ページを例示した図である。
【０１１０】
図７は物理治療師協会（以下、治療師協会）で機能性枕など、物理治療と関連した製品を販売する販売先に対して公式的に認証する認証マークである。公式販売先に対する認証マークのイメージと、それについての説明などを表示する。また、認証マークに対する公式ページがある場合、これらのページに対してリンクを表示して、直接該当ページに移動することができるように提供する。
【０１１１】
また、管理者又は管理サーバー３０は自ら認証マークに対する等級を決め、該当等級を掲載することができる。この時、好ましくは、認証マークの信頼性又は発給機関の権威などを考慮して前もって決まる等級である。
【０１１２】
また、該当認証マークを発給する発給機関及びそれについての説明を一緒に掲載する。発給機関についての説明又は発給機関のホームページなどをリンクとして提供する。
【０１１３】
図７に示すように、発給機関が認証マークを受けた場合、該当認証マークを認証マークモジュール７０に挿入することができる。すなわち、認証マークを案内する空間もオンラインページ６０であるので、認証マークモジュール７０を挿入して掲載することができる。
【０１１４】
図７で、発給機関である治療師協会は保健福祉部から許可認証を受けたので、保健福祉部許可認証に対する認証マークモジュール７０を挿入して掲載することができる。そして、認証マークモジュール７０をクリックして再び保健福祉部許可認証に対する認証案内ページを移動することができる。保健福祉部許可認証マークに対するオンラインページ６０が図８に示されている。
【０１１５】
一方、各認証マークに対する認証マークモジュール７０は各発給機関のホームページなどにも直接挿入されて掲載されることができる。すなわち、治療師協会は自分が保健福祉部から公式的に許可された協会であることを確認させるために、治療師協会のホームページに保健福祉部許可認証に対する認証マークモジュール７０を挿入して掲載することができる。これは治療師協会のホームページ又はモバイルアプリページなども一つのオンラインページ６０であるので、治療師協会が受けた全ての認証マークを認証マークモジュール７０に掲載することができる。
【０１１６】
したがって、使用者は認証マーク案内ページで該当発給機関のホームページなどを直接訪問し、該当発給機関が受けた認証マークを確認することができる。これにより、使用者は簡単に認証マークの信頼又は発給機関の権威などを易しく確認することができる。
【０１１７】
以上、本発明者によってなされた発明を実施例に基づいて具体的に説明したが、本発明は実施例に限定されるものではなく、その要旨を逸脱しない範疇内でいろいろに変更可能であるのは言うまでもない。
【図１】
2018538638.tif 000003
【図２】
2018538638.tif 000004
【図３】
2018538638.tif 000005
【図４】
2018538638.tif 000006
【図５】
2018538638.tif 000007
【図６】
2018538638.tif 000008
【図７】
2018538638.tif 000009
【図８】
2018538638.tif 000010
【国際調査報告】
2018538638.tif 000011
2018538638.tif 000012
2018538638.tif 000013
2018538638.tif 000014